(57)【要約】      （修正有）【課題】３つ以上の位相を有する回転操作部材を有する撮像装置において、回転操作操作部材が所望する位相に固定しきれないことによる操作性の低下を防止する。【解決手段】回転操作部材は、回転操作可能な第一のダイヤル操作部材４ａと、３つの位相を有する回転操作可能な第二の操作部材４ｂを備え、前記第二の操作部材４ｂは前記第一のダイヤル操作部材４ａと同軸の回転軸を有し、前記第二の操作部材４ｂの左右端以外の位相における前記第二の操作部材４ｂの端面と撮像装置１の外形面との距離iiが、前記第二の操作部材４ｂの左右端位相での距離i、iiiよりも小さくなっている。このため、前記第二の操作部材４ｂを回転操作して左右端以外の位相位置に移動させるときは、親指が凸形状１aに当たり摩擦力が発生する。これにより、前記第二の操作部材４ｂは左右端以外の位相位置に移動させる際、慣性での行き過ぎを防止する。【選択図】図４
2015114520.tif 000002
【特許請求の範囲】
【請求項１】
情報入力のため回転操作可能な回転操作部材（４）を有する撮像装置（１）において、
前記回転操作部材（４）は、回転操作可能な第一のダイヤル操作部材（４ａ）と、回転操作可能な第二の操作部材（４ｂ）を備え、
前記第二の操作部材（４ｂ）は、前記第一のダイヤル操作部材（４ａ）と同軸の回転軸を有し、
前記第二の操作部材（４ｂ）は、予め定められた角度内でのみ回転操作可能であり、
前記第二の操作部材（４ｂ）は、少なくとも３つ以上の操作位相を有し、
前記第二の操作部材（４ｂ）の左右端以外の位相において、前記第二の操作部材（４ｂ）の端面と前記撮像装置（１）の外形面との距離（ii）が、前記第二の操作部材（４ｂ）の左右端位相での前記第二の操作部材（４ｂ）の端面と前記撮像装置（１）の外形面との距離（i、iii）よりも小さくなっていることを備えた撮像装置。
【請求項２】
情報入力のため回転操作可能な回転操作部材（４）を有する撮像装置（１）において、
前記撮像装置（１）は、前記第二の操作部材（４ｂ）の左右端以外の位相付近における外形形状が、部分的に円筒形状または球形状になっており、
前記外形形状は、前記第二の操作部材（４ｂ）が操作可能な扇型の半径よりも小さい半径を有することを特徴とする、請求項１に記載の撮像装置。
【請求項３】
情報入力のため回転操作可能な回転操作部材（４）を有する撮像装置（１）において、
前記回転操作部材（４）は、撮影者側から見て左上部に配置されることを特徴とする、請求項１に記載の撮像装置。
【発明の詳細な説明】
【技術分野】
【０００１】
本発明は、回転操作可能な第1のダイヤル操作部材と、第1のダイヤル操作部材の回転軸と同軸上に回転軸を持つ第2の操作部材を有する撮像装置における、誤操作防止構成に関する。
【背景技術】
【０００２】
近年の一眼レフカメラでは、静止画だけでなく動画も撮影可能なものが多くなっている。このようなカメラにおいては、静止画撮影と動画撮影を切り替える手段を有しているものが多い。
【０００３】
前記静止画撮影／動画撮影切り替え手段はカメラ本体をしっかりと保持した状態で操作ができることが望ましい。このため、前記静止画撮影／動画撮影切り替え手段は、カメラ本体を両手で保持したまま操作が可能な右手の親指もしくは左手の親指付近に設置されることが多い。
【０００４】
しかしながら、前記静止画撮影／動画撮影切り替え手段以外の、カメラのあらゆる設定を操作するための操作手段もカメラを保持した状態で操作する。そのため、右手の親指付近もしくは左手の親指付近には多数の操作手段が集中して配置されることにより、各々の操作性が低下してしまう可能性がある。
【０００５】
これにより前記静止画撮影／動画撮影切り替え手段は、小型化を実現しつつ、簡単に切り替え可能なことが必要とされている。
【０００６】
これを可能にするため、一つの操作手段で複数の機能を有する操作手段が公知となっている。
【０００７】
例えばカメラ、特に、一眼レフカメラにおいて、カメラの撮影モードを選択する手段である回転ダイヤル操作部材と、前記回転ダイヤル操作部材と同一の回転軸を有しフィルム給送モードを設定するための複数位相を有する回転レバー操作部材を設けたものがある（特許文献１）。
【０００８】
特許文献１に記載の構成では、回転ダイヤル操作部材と回転レバー操作部材が、同一回転軸を有する二段式構成としている。また、回転レバー操作部材はポジション数の少ない操作部材とすることで、カメラを大型化することなく、左手親指で操作しやすい位置に操作部材を追加することが可能になる。
【０００９】
また近年のデジタルカメラにおいては、この特許文献１に記載の構成で、回転レバー操作部材にカメラの電源オン・オフ切り替え機能と、静止画・動画切り替え機能を付与することにより、静止画撮影と動画撮影を親指一本で簡単に切り替えることが可能となっている。
【先行技術文献】
【特許文献】
【００１０】
【特許文献１】特開平０９−０４３７０５号公報
【発明の概要】
【発明が解決しようとする課題】
【００１１】
しかしながら、特許文献１に記載の構成では、回転レバー操作部材が３つ以上の位相を有する場合、例えば右端の位相から中間の位相に回転レバー操作部材を動かす際に、勢い余って逆側である左端の位相まで回転レバー操作部材を動かしてしまい、ユーザーが所望する位相に固定しきれない場合があった。
【００１２】
これは例えば、回転レバー操作部材の左端位相に電源オフ、中間位相に電源オン（静止画撮影）、右端位相に動画撮影という機能を割り当てた場合には、動画撮影から静止画撮影に切り替えようとしても、勢い余って電源オフになってしまい、操作性が低下する可能性をはらんでいた。
【課題を解決するための手段】
【００１３】
本出願に係る発明の目的を実現する構成は、請求項１に記載のように、
情報入力のため回転操作可能な回転操作部材を有する撮像装置において、
前記回転操作部材は、回転操作可能な第一のダイヤル操作部材と、回転操作可能な第二の操作部材を備え、
前記第二の操作部材は、前記第一のダイヤル操作部材と同軸の回転軸を有し、
前記第二の操作部材は、予め定められた角度内でのみ回転操作可能であり、
前記第二の操作部材は、少なくとも３つ以上の操作位相を有し、
前記第二の操作部材の左右端以外の位相において、前記第二の操作部材の端面と前記撮像装置の外形面との距離が、前記第二の操作部材の左右端位相での前記第二の操作部材の端面と前記撮像装置の外形面との距離よりも小さくなっていることを備えた撮像装置。
【発明の効果】
【００１４】
本発明によれば、情報入力のため回転操作可能な回転操作部材を有する撮像装置において、回転レバー操作部材が３つ以上の位相を有する場合に、ユーザーが所望する位相に固定しきれないことによる操作性の低下を防止することが可能となる。
【図面の簡単な説明】
【００１５】
【図１】本発明の実施形態である情報入力装置を備えたデジタル一眼レフカメラを上面側および撮影者側から見た図である。
【図２】本発明の実施形態である情報入力装置を備えたデジタル一眼レフカメラの主要な電気的構成を示すブロック図である。
【図３】本発明の実施形態である情報入力装置を備えたデジタル一眼レフカメラをモードダイヤル部回転軸直上から見た図である。
【図４】本発明の実施形態である情報入力装置を備えたデジタル一眼レフカメラのモードダイヤル部回転軸中心位置での断面図である。
【発明を実施するための形態】
【００１６】
以下に、本発明の好ましい実施の形態を、添付の図面に基づいて詳細に説明する。
【００１７】
［実施例１］
以下、本発明の第１の実施例について図面を参照しながら説明する。
【００１８】
図１（Ａ）は本発明の実施形態の一例であるデジタル一眼レフカメラを上面側から見た図であり、図１（Ｂ）は本発明の実施形態の一例であるデジタル一眼レフカメラを撮影者側から見た図である。
【００１９】
図１（Ａ）に示すように、本実施形態のデジタル一眼レフカメラは、カメラ本体１の撮影者側から見て右側の外装部分を撮影時にユーザーが把持するグリップ部５０としている。グリップ部５０を把持したユーザーの人差し指５１に近い位置には、レリーズボタン２およびメインダイヤル３が設けられている。カメラ本体１の上面部にはその他に、ユーザーの左手親指５２に近い位置に、モード選択ダイヤル４が設けられている。ここで、モード選択ダイヤル４は本発明の回転操作部材に相当する。
【００２０】
モード選択ダイヤル４は、シャッタ速度優先モード・絞り優先モードなどの撮影モードを変更する際に操作するモードダイヤル部４ａと、カメラ本体１の電源ＯＦＦ、ＯＮ（静止画撮影）、動画撮影を切り替える電源レバー４ｂを備えている。ここで、モード選択ダイヤル４ａは本発明の第一のダイヤル操作部材、電源レバー４ｂは第二の操作部材に相当する。
【００２１】
図２は、本実施の形態に係るデジタル一眼レフカメラの主要な電気的構成を示すブロック図である。
【００２２】
カメラ本体１に内蔵されたマイクロコンピュータからなる中央処理装置（以下、「ＭＰＵ」と称する）１００は、カメラの動作制御を司るものであり、各要素に対して様々な処理や指示を実行する。ＭＰＵ１００に内蔵されたＥＥＰＲＯＭ１００ａは、時刻計測回路１０９の計時情報やその他の情報を記憶することができる。
【００２３】
ＭＰＵ１００には、ミラー駆動回路１０１、焦点検出回路１０２、シャッタ駆動回路１０３、映像信号処理回路１０４、スイッチセンス回路１０５、測光回路１０６、ストロボ駆動回路１１３が接続されている。ストロボ駆動回路１１３により、ストロボユニット７０４の動作が制御される。さらにＭＰＵ１００には、液晶表示駆動回路１０７、バッテリーチェック回路１０８、時刻計測回路１０９、電力供給回路１１０、圧電素子駆動回路１１１が接続されている。これらの回路は、ＭＰＵ１００の制御により動作するものである。
【００２４】
ＭＰＵ１００は、撮影レンズユニット２００ａ内のレンズ制御回路２０１とマウント接点７０７を介して通信を行う。マウント接点７０７は、撮影レンズユニット２００ａが接続されるとＭＰＵ１００へ信号を送信する機能も有する。これにより、レンズ制御回路２０１は、ＭＰＵ１００との間で通信を行い、ＡＦ駆動回路２０２及び絞り駆動回路２０３を介して撮影レンズユニット２００ａ内の撮影レンズ２００及び絞り２０４の駆動を行う。なお、図２では便宜上１枚の撮影レンズ２００のみを図示しているが、実際は多数のレンズ群によって構成される。
【００２５】
ＡＦ駆動回路２０２は、例えばステッピングモータによって構成され、レンズ制御回路２０１の制御により撮影レンズ２００内のフォーカスレンズ位置を変化させ、撮像素子３３に撮影光束の焦点を合わせるように調整する。絞り駆動回路２０３は、例えばオートアイリス等によって構成され、レンズ制御回路２０１の制御により絞り２０４を変化させ、光学的な絞り値を得る。
【００２６】
メインミラー７１２は、図２に示す撮影光軸６０に対して４５°の角度に保持された状態で、撮影レンズ２００を通過する撮影光束をペンタダハミラー２２へ導くと共に、その一部を透過させてサブミラー３０へ導く。サブミラー３０は、メインミラー７１２を透過した撮影光束を焦点検出センサユニット３１へ導く。
【００２７】
ミラー駆動回路１０１は、例えばＤＣモータとギヤトレイン等によって構成され、メインミラー７１２を、ファインダ７により被写体像を観察可能とする位置と、撮影光束から待避する位置とに駆動する。メインミラー７１２が駆動すると、同時にサブミラー３０も、焦点検出センサユニット３１へ撮影光束を導く位置と、撮影光束から待避する位置とに移動する。
【００２８】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。焦点検出センサユニット３１から出力される信号は、焦点検出回路１０２へ供給され、被写体像信号に換算された後、ＭＰＵ１００に送信される。ＭＰＵ１００は、被写体像信号に基づいて位相差検出法による焦点検出演算を行う。そして、デフォーカス量及びデフォーカス方向を求め、これに基づいて、レンズ制御回路２０１及びＡＦ駆動回路２０２を介して撮影レンズ２００内のフォーカスレンズを合焦位置まで駆動する。
【００２９】
ペンタダハミラー２２は、メインミラー７１２により反射された撮影光束を正立正像に変換反射する。撮影者はファインダ光学系を介してファインダ７から被写体像を観察することができる。ペンタダハミラー２２は、撮影光束の一部を測光センサ４６へも導く。測光回路１０６は、測光センサ４６の出力を得て、観察面上の各エリアの輝度信号に変換し、ＭＰＵ１００に出力する。ＭＰＵ１００は、輝度信号に基づいて露出値を算出する。
【００３０】
シャッタユニット（機械フォーカルプレーンシャッタ）３２は、撮影者がファインダ７により被写体像を観察している時には、シャッタ先幕が遮光位置にあると共に、シャッタ後幕が露光位置にある。次いで、撮影時には、シャッタ先幕が遮光位置から露光位置へ移動する露光走行を行って被写体からの光を通過させ、撮像素子３３で撮像を行う。所望のシャッタ秒時の経過後、シャッタ後幕が露光位置から遮光位置へ移動する遮光走行を行って撮影を完了する。機械フォーカルプレーンシャッタ３２は、ＭＰＵ１００の指令を受けたシャッタ駆動回路１０３により制御される。
【００３１】
撮像ユニット４００は、主に光学ローパスフィルタ４１０、圧電部材である圧電素子４３０、撮像素子３３がユニット化されたものである。撮像素子３３は、被写体像を光電変換するものであり、本実施の形態ではＣＭＯＳセンサが用いられるが、その他にもＣＣＤ型、ＣＭＯＳ型及びＣＩＤ型等様々な形態があり、いずれの形態の撮整像デバイスを採用してもよい。撮像素子３３の前方に配置された光学ローパスフィルタ４１０は、水晶からなる１枚の複屈折板であり、その形状は矩形状である。圧電素子４３０は、単板の圧電素子（ピエゾ素子）であり、ＭＰＵ１００の指示を受けた圧電素子駆動回路１１１により加振され、その振動を光学ローパスフィルタ４１０に伝えるように構成されている。
【００３２】
クランプ／ＣＤＳ（相関二重サンプリング）回路３４は、Ａ／Ｄ変換する前の基本的なアナログ処理を行うものであり、クランプレベルを変更することも可能である。ＡＧＣ（自動利得調整装置）３５は、Ａ／Ｄ変換する前の基本的なアナログ処理を行うものであり、ＡＧＣ基本レベルを変更することも可能である。Ａ／Ｄ変換器３６は、撮像素子３３のアナログ出力信号をデジタル信号に変換する。
【００３３】
映像信号処理回路１０４は、デジタル化された画像データに対してガンマ／ニー処理、フィルタ処理、モニタ表示用の情報合成処理等、ハードウエアによる画像処理全般を実行する。この映像信号処理回路１０４からのモニタ表示用の画像データは、カラー液晶駆動回路１１２を介してカラー液晶モニタ１７に表示される。また、映像信号処理回路１０４は、ＭＰＵ１００の指示に従って、メモリコントローラ３８を通じてバッファメモリ３７に画像データを保存することもできる。さらに、映像信号処理回路１０４は、ＪＰＥＧ等の画像データ圧縮処理を行うこともできる。連写撮影等、連続して撮影が行われる場合は、一旦バッファメモリ３７に画像データを格納し、メモリコントローラ３８を通して未処理の画像データを順次読み出すこともできる。これにより、映像信号処理回路１０４は、Ａ／Ｄ変換器３６から入力されてくる画像データの速度に関わらず、画像処理や圧縮処理を順次行うことができる。
【００３４】
メモリコントローラ３８は、外部インタフェース４０から入力される画像データを外部メモリ３９に記憶し、外部メモリ３９に記憶されている画像データを外部インタフェース４０から出力する機能を有する。外部メモリ３９としては、カメラ本体に着脱可能なフラッシュメモリ等が用いられる。
【００３５】
スイッチセンス回路１０５は、各スイッチの操作状態に応じて入力信号をＭＰＵ１００に送信する。スイッチＳＷ１（７１０ａ）は、レリーズボタン２の第１ストローク（半押し）によりＯＮする。スイッチＳＷ２（７１０ｂ）は、レリーズボタン２の第２ストローク（全押し）によりＯＮする。スイッチＳＷ２（７１０ｂ）がＯＮされると、撮影開始の指示がＭＰＵ１００に送信される。さらに、スイッチセンス回路１０５には、メインダイヤル３、モードダイヤル部４ａ、電源レバー４ｂも接続されている。
【００３６】
液晶表示駆動回路１０７は、ＭＰＵ１００の指示に従って、ファインダ内液晶表示１０を駆動する。
【００３７】
バッテリーチェック回路１０８は、ＭＰＵ１００の指示に従って、バッテリーチェックを行い、その検出結果をＭＰＵ１００に送信する。電源４２は、カメラの各要素に対して電源を供給する。
【００３８】
時刻計測回路１０９は、電源レバー４ｂがＯＦＦされて次にＯＮされるまでの時間や日付を計測し、ＭＰＵ１００からの指示に従って、計測結果をＭＰＵ１００に送信する。
モード選択ダイヤル４について図３および図４を用いて説明する。
【００３９】
図３は本発明の実施形態の一例であるデジタル一眼レフカメラをモードダイヤル部回転軸直上から見た図である。
【００４０】
図４は本発明の実施形態の一例であるデジタル一眼レフカメラのモードダイヤル部回転軸中心位置での断面図である。
【００４１】
電源レバー４ｂはモードダイヤル部４ａと同一の回転軸β（図４）を有している。ただし、３６０°制限なく回転できるモードダイヤル部４ａとは異なり、電源レバー４ｂは、図３（Ａ）の範囲α内でのみ回転することができる。また、図３（Ａ）〜（Ｃ）で示す通り、電源レバー４ｂは範囲αの中で３つの位相Ｉ〜IIIを有している。
【００４２】
図３（Ｄ）は本発明の実施形態の一例であるデジタル一眼レフカメラのモードダイヤル部回転軸に垂直な断面図である。モードダイヤル部４ａ内部には、二か所の嵌合部５ａを有するばね５が組み込まれている。嵌合部５ａは電源レバー４ｂの内部に設けられた二か所のクリック部４ｂ−１に嵌合している。二か所のクリック部４ｂ−１にはそれぞれ三か所の谷形状と、谷と谷の間に二か所の山形状がある。ばね５の嵌合部５ａがクリック部４ｂ−１の山形状に位置する場合は、ばね５がクリック部４ｂ−１の山形状によってたわむため、位相Ｉ〜IIの間もしくは位相II〜IIIの間はばね５による付勢力が働く。このため、クリック部４ｂ−１の谷形状に対応する位相Ｉ、II、IIIのどこかに電源レバー４ｂが位置するようになっている。これにより電源レバー４ｂは各位相に留めることができる。
【００４３】
撮影時には、モードダイヤル部４ａを回転させることで、ユーザーが所望する撮影条件に合わせた撮影モードが選択される。その後、所望の条件設定値になるまでメインダイヤル３を回転させることにより撮影条件を設定する。
【００４４】
例えば、モードダイヤル部４ａを絞り優先モードに設定した場合、メインダイヤル３を回転させると、装着されたレンズに応じて決められた範囲の中で、ユーザーが所望する任意の絞り値に設定することができる。同様に、モードダイヤル部４ａをシャッタ速度優先モードに設定した場合は、メインダイヤル３を回転することで任意のシャッタ秒時に設定することができる。
【００４５】
電源レバー４ｂの位相Ｉは電源ＯＦＦ状態、位相IIは静止画撮影準備状態、位相IIIには動画撮影準備状態がそれぞれ割り当てられている。このため、電源レバー４ｂを位相Ｉから位相IIへ動かすことで、カメラ１の電源を入れることができる。また、静止画撮影から動画撮影に変更する場合は、電源レバー４ｂを位相IIから位相IIIへ動かす。同様に、電源ＯＦＦ状態から動画撮影にする際は、電源レバー４ｂを位相Ｉから位相IIIへ位相を２つ分動かせばよい。
【００４６】
図４（Ａ）は図３（Ａ）におけるＡ−Ａ平面（回転軸βと位相Ｉを含む平面）での断面図である。電源レバー４ｂはカメラ本体１の最外形にごく近い位置まで延出している。このため、電源レバー４ｂのカメラ本体１からの距離iはごく小さい値となっている。
【００４７】
図４（Ｂ）は図３（Ｂ）におけるＢ−Ｂ平面（回転軸βと位相IIを含む平面）での断面図である。カメラ本体１は位相IIの付近で部分的に凸形状１ａを有している。そのため図４（Ｂ）では電源レバー４ｂのカメラ本体１からの距離iiは距離iよりも大きく、電源レバー４ｂがカメラ本体１よりもへこんだ状態になる。
【００４８】
図４（Ｃ）は図３（Ｃ）におけるＣ−Ｃ平面（回転軸βと位相IIIを含む平面）での断面図である。位相Ｉと同様に、電源レバー４ｂはカメラ本体１の最外形にごく近い位置まで延出している。このため、電源レバー４ｂのカメラ本体１からの距離iiiは、距離iと同等のごく小さい値となっている。
【００４９】
電源レバー４ｂを電源ＯＦＦ状態（位相Ｉ）から、静止画撮影準備状態（位相II）に移行させる場合は、左手親指で電源レバー４ｂを位相Ｉから位相IIへ移動させる。この時、前述の通り、電源レバー４ｂを位相Ｉから移動させると、ばね５の嵌合部５ａが電源レバー４ｂのクリック部４ｂ−１の形状に合わせて移動し、ばね５が変形する。そのため、嵌合部５ａがクリック部４ｂ−１の山を越えると、図３（Ａ）のＸ方向に付勢力が発生する。電源レバー４ｂが位相IIに移った際には慣性によって電源レバー４ｂが位相IIIまで移動しようとするが、親指が凸形状１ａに当たって摩擦力が発生する。これにより、電源レバー４ｂは位相IIに留まることが可能となる。
【００５０】
電源レバー４ｂを静止画撮影準備状態（位相II）から、動画撮影準備状態（位相III）に移行させる場合は、左手親指で電源レバー４ｂを位相IIから位相IIIへ移動させる。この時、位相Ｉの場合と同様にばね５によって図３（Ｂ）のＸ方向に付勢力が発生する。電源レバー４ｂが位相IIIに移った際には、電源レバー４ｂがモードダイヤル部４ａの内部でカメラ本体１に衝突するため、電源レバー４ｂは位相IIIに留まる。
【００５１】
電源レバー４ｂを動画撮影準備状態（位相III）から、静止画撮影準備状態（位相II）に移行させる場合は、左手親指で電源レバー４ｂを位相IIIから位相IIへ移動させる。この時、前述の通り、電源レバー４ｂを位相IIIから移動させると、ばね５の嵌合部５ａが電源レバー４ｂのクリック部４ｂ−１の形状に合わせて移動し、ばね５が変形する。そのため、嵌合部５ａがクリック部４ｂ−１の山を越えると、図３（Ｃ）のＹ方向に付勢力が発生する。電源レバー４ｂが位相IIに移った際には慣性によって電源レバー４ｂが位相Ｉまで移動しようとするが、親指が凸形状１ａに当たって摩擦力が発生する。これにより、電源レバー４ｂは位相IIに留まることが可能となる。
【００５２】
電源レバー４ｂを静止画撮影準備状態（位相II）から、電源ＯＦＦ状態（位相Ｉ）に移行させる場合は、左手親指で電源レバー４ｂを位相IIから位相Ｉへ移動させる。この時、位相IIIの場合と同様にばね５によって図３（Ｂ）のＹ方向に付勢力が発生する。電源レバー４ｂが位相Ｉに移った際には、電源レバー４ｂがモードダイヤル部４ａの内部でカメラ本体１に衝突するため、電源レバー４ｂは位相Ｉに留まる。
【００５３】
以上説明したように、本実施形態では、電源レバー４ｂが３つ以上の位相を有する場合に、ユーザーが所望する位相に固定しきれないことによる操作性の低下を防止することが可能となる。なお、凸形状１ａは略円筒形状または略球形状が操作性上望ましい。また、本発明の構成は、上記実施形態に例示したものに限定されるものではなく、材質、形状、寸法、形態、数、配置箇所等は、本発明の要旨を逸脱しない範囲において適宜変更可能である。
【００５４】
以上、本発明の好ましい実施形態について説明したが、本発明はこれらの実施形態に限定されず、その要旨の範囲内で種々の変形及び変更が可能である。
【符号の説明】
【００５５】
１  カメラ本体
４  モード選択ダイヤル
４ａ  モードダイヤル部
４ｂ  電源レバー
５  ばね
【図１】
2015114520.tif 000003
【図２】
2015114520.tif 000004
【図３】
2015114520.tif 000005
【図４】
2015114520.tif 000006